(57)【要約】【課題】ヘッダーとして付加される情報が送信元のＭＦＰの情報であるため、デバイスの情報は分かるがユーザの情報が分からないといった課題がある。【解決手段】携帯端末機器の電話帳に登録されたプロフィール情報から送信元の情報を生成し、ＭＦＰに通知し、ＦＡＸ送信することで、デバイスの情報だけでなく、ユーザの情報を相手に伝える事が可能となる。【選択図】  図２２
2015231175.tif 000002
【特許請求の範囲】
【請求項１】
携帯端末機器（１０２）とＭＦＰ（１０１）が通信を行ってＭＦＰ（１０１）が持つＦＡＸ送信機能を使用するＦＡＸ通信システムであって、
原稿を読み取る原稿読取手段（３０９）と、
ＦＡＸ送信を行うＦＡＸ送信手段（３１８）と、
携帯端末機器（１０２）からの指示や問い合わせを受信する受信手段（３１０、３１７）と、
携帯端末機器（１０２）からのデータを記憶する記憶手段（３０４）と、
を備え、
前記受信手段（３１０、３１７）で携帯端末機器（１０２）からＦＡＸ送信設定情報と原稿読取指示とを合わせて受信した場合に、受信手段（３１０、３１７）で受信したＦＡＸ送信設定情報の設定に基づいて前記原稿読取手段（３０９）で原稿を読み取り、前記記憶手段（３０４）に保持されたデータと、前記原稿読取手段（３０９）で読み取った読取画像を合成し、前記ＦＡＸ送信設定情報の設定に基づいて宛先を設定したＦＡＸ送信を前記ＦＡＸ送信手段（３１８）で行うことを特徴とするＦＡＸ通信システム。
【請求項２】
請求項１に記載のＦＡＸ通信システムであって、前記携帯端末機器（１０２）には、
連絡先の名称と電話番号を関連付けて記憶するアドレス帳記憶手段（４０４）と、
ＭＦＰ（１０１）に指示や問い合わせを送信する送信手段（４１０）と、
設定を受け付ける設定選択手段（４０８）と、
前記アドレス帳記憶手段（４０４）から連絡先を読み出し表示する表示手段（４０６）と、
前記表示手段（４０６）にて表示した連絡先の一覧から前記設定選択手段（４０８）で受け付けた選択に基づいて前記アドレス帳記憶手段（４０４）から連絡先を読み出し、前記設定選択手段（４０８）で受け付けたＦＡＸ送信設定と共に前記送信手段（４１０）で送信する、ＦＡＸ送信設定送信手段（４０１）と、前記アドレス帳記憶手段（４０４）に記憶されたユーザ情報を送信元の情報として用い、ＦＡＸ送信用の表紙を作成する手段（４０１）とを備え、
前記ＦＡＸ送信設定送信手段（４０１）で送信した連絡先とＦＡＸ送信設定の情報と表紙データと共に、ＭＦＰ（１０１）に対して原稿読取指示を前記送信手段（４１０）で送信することを特徴とするＦＡＸ通信システム。
【請求項３】
請求項１に記載のＦＡＸ通信システムであって、前記携帯端末機器（１０２）には、
連絡先の名称と電話番号を関連付けて記憶するアドレス帳記憶手段（４０４）と、
ＭＦＰ（１０１）に指示や問い合わせを送信する送信手段（４１０）と、
設定を受け付ける設定選択手段（４０８）と、
前記アドレス帳記憶手段（４０４）から連絡先を読み出し表示する表示手段（４０６）と、
前記表示手段（４０６）にて表示した連絡先の一覧から前記設定選択手段（４０８）で受け付けた選択に基づいて前記アドレス帳記憶手段（４０４）から連絡先を読み出し、前記設定選択手段（４０８）で受け付けたＦＡＸ送信設定と共に前記送信手段（４１０）で送信する、ＦＡＸ送信設定送信手段（４０１）と、前記アドレス帳記憶手段（４０４）に記憶されたユーザ情報を送信元の情報として用い、ヘッダーデータを作成する手段（４０１）とを備え、
前記ＦＡＸ送信設定送信手段（４０１）で送信した連絡先とＦＡＸ送信設定の情報とヘッダーデータと共に、ＭＦＰ（１０１）に対して原稿読取指示を前記送信手段（４１０）で送信することを特徴とするＦＡＸ通信システム。
【請求項４】
少なくとも前記携帯端末機器（１０２）が２台以上ある場合において、
携帯端末機器２（１０２）には、ユーザ情報送信手段（４１０）と、
前記ＭＦＰ（１０１）に原稿が置かれると予測されるユーザのユーザ情報を前記ＭＦＰ（１０１）から受信する手段（４１０）と、
前記ＭＦＰ（１０１）から受信したユーザ情報が自らのユーザ情報と一致するかを判断する手段（４０１）と、
前記判断の結果、一致しない場合には前記ＭＦＰ（１０１）に原稿が置かれると予測されるユーザを切り替えるかを前記携帯端末機器２（１０２）のユーザに選択させる手段（４０８）と、
前記選択の結果、ユーザの切り替えが選択された場合は、原稿が置かれると予測されるユーザを切り替える指示を前記ＭＦＰ（１０１）へ送信する手段（４１０）と、
携帯端末機器１（１０２）にはユーザ情報送信手段（４１０）と、
前記ＭＦＰ（１０１）に原稿が置かれた際の原稿検知情報及び、原稿検知情報に紐づいたユーザ情報を前記ＭＦＰ（１０１）から受信する手段（４１０）と、
前記ＭＦＰ（１０１）から受信した原稿検知情報に紐づいたユーザ情報が自らのユーザ情報と一致するかを判断する手段（４０１）と、
前記判断の結果、一致しない場合は、前記ＭＦＰ（１０１）に原稿が置かれると予測されるユーザが切り替わった旨を通知する手段（４０６）と、
を備えることを特徴とする請求項２に記載のＦＡＸ通信システム。
【請求項５】
少なくとも前記携帯端末機器（１０２）が２台以上ある場合において、
前記ＭＦＰ（１０１）には、前記携帯端末機器１（１０２）からユーザ情報を受信する手段（３１０）と、
前記携帯端末機器１（１０２）のユーザ情報を記憶する手段（３０２）と、
前記携帯端末機器１（１０２）のユーザ情報と原稿検知（３２０）を紐づける手段（３０１）と、
前記携帯端末機器１（１０２）のユーザ情報に基づいて原稿が置かれると予測されるユーザを表示させる表示手段（３１２）と、
原稿が置かれた際に前記携帯端末機器１（１０２）のユーザ情報を原稿検知情報に紐づける手段（４０６）と、
前記携帯端末機器１（１０２）の原稿検知（３２０）待ち中に前記携帯端末機器２（１０２）からの指示や問い合わせがあるかを判断する手段（３１０）と、
前記携帯端末機器２（１０２）から原稿が置かれると予測されるユーザの切り替え指示を受信する手段（３１０）と、
前記切り換え指示によって、原稿が置かれると予測されるユーザを前記携帯端末機器２（１０２）のユーザへ切り替える手段（３１０）と、
前記携帯端末機器２（１０２）から受信したＦＡＸ送信設定情報の設定に基づいてＦＡＸ送信を前記ＦＡＸ送信手段（３１８）で行った後、原稿が置かれると予測されるユーザを前記携帯端末機器１（１０２）のユーザへ切り替える手段（３０１）と、
を備えることを特徴とする請求項１に記載のＦＡＸ通信システム。
【発明の詳細な説明】
【技術分野】
【０００１】
本発明は、公衆回線網に接続し、ファックス通信可能なマルチファンクションプリンタ（以下、ＭＦＰと呼ぶ）と、ＭＦＰと通信可能な携帯端末機器を備えたファックス通信システムに関する。
【背景技術】
【０００２】
近年、携帯端末機器は、スマートフォンと呼ばれる操作性の優れた機器が普及している。スマートフォンには、電話帳を内蔵しており、一つの氏名に複数の情報（例えば、自宅電話番号、携帯電話番号、会社ＦＡＸ番号、等々）を登録できるようになっている。また、ユーザ自身の情報もプロフィール情報として、宛先と同様に複数の情報を登録することが出来るようになっている。
【０００３】
一方、ＭＦＰは、ＦＡＸ送信時にヘッダー情報として送信元の情報を付けて送信する機能や、ＦＡＸ送信しようとした際にＦＡＸ送受信中で使用できない場合、予め登録された別のＦＡＸで代行送信する機能がある。代行送信を行う際に、ＦＡＸ原稿データだけでなく、送信元データとしてＦＡＸ番号／名称なども代行ＦＡＸに送信し、代行ＦＡＸが依頼元のＦＡＸに成り代わってＦＡＸ送信するものもある（特許文献１参照）。また、ＭＦＰの操作部からの操作で表紙を付けて、ＦＡＸ送信を行う機能を持つものもある（特許文献２参照）。
【先行技術文献】
【特許文献】
【０００４】
【特許文献１】特開２００４−１８６９５９号公報
【特許文献２】特開２００３−２６４６５０号公報
【発明の概要】
【発明が解決しようとする課題】
【０００５】
しかしながら、上記従来技術では、ヘッダーとして付加される情報が送信元のＭＦＰの情報であるため、デバイスの情報は分かるがユーザの情報が分からないといった課題がある。また、ユーザの情報を付加しようとした場合、ＭＦＰの操作部から手入力する必要があるため、手間がかかり、入力間違いをする可能性もあるといった課題がある。
【課題を解決するための手段】
【０００６】
本発明に係るＦＡＸ通信システムの構成は、携帯端末機器（１０２）とＭＦＰ（１０１）が通信を行ってＭＦＰ（１０１）が持つＦＡＸ送信機能を使用するＦＡＸ通信システムであって、原稿を読み取る原稿読取手段（３０９）と、ＦＡＸ送信を行うＦＡＸ送信手段（３１８）と、携帯端末機器（１０２）からの指示や問い合わせを受信する受信手段（３１０、３１７）と、携帯端末機器（１０２）からのデータを記憶する記憶手段（３０４）と、を備え、受信手段（３１０、３１７）で携帯端末機器（１０２）からＦＡＸ送信設定情報と原稿読取指示とを合わせて受信した場合に、受信手段（３１０、３１７）で受信したＦＡＸ送信設定情報の設定に基づいて原稿読取手段（３０９）で原稿を読み取り、記憶手段（３０４）に保持されたデータと、原稿読取手段（３０９）で読み取った読取画像を合成し、ＦＡＸ送信設定情報の設定に基づいて宛先を設定したＦＡＸ送信を前記ＦＡＸ送信手段（３１８）で行うことを特徴とする。
【発明の効果】
【０００７】
本発明によれば、携帯端末機器に登録された電話帳のプロフィール情報を用いてヘッダー情報を作成するので、送信元のＭＦＰのデバイス情報だけでなく、ユーザの情報を付加してＦＡＸ送信することが出来る。また、表紙を作成して添付する場合も携帯端末機器に登録された電話帳のプロフィール情報を用いるので、簡単に間違いなくユーザの情報を入力することが出来る。
【図面の簡単な説明】
【０００８】
【図１】本発明の実施形態にかかるファックス通信システムの概要を示すシステム構成図である。
【図２】本発明の別の実施形態にかかるファックス通信システムの概要を示すシステム構成図である。
【図３】図１に示したシステムに含まれるＭＦＰのハードウェア構成を示す図である。
【図４】図１に示したシステムに含まれる携帯端末機器のハードウェア構成を示す図である。
【図５】図４に示した携帯端末機器の電話帳アプリケーションの連絡先一覧画面を表す図である。
【図６】図４に示した携帯端末機器の電話帳アプリケーションの特定の連絡先画面を表す図である。
【図７】図４に示した携帯端末機器のＭＦＰ連携アプリケーションのトップ画面を表す図である。
【図８】図４に示した携帯端末機器のモバイルＦＡＸアプリケーションの設定画面を表す図である。
【図９】図８に示したモバイルＦＡＸアプリケーションのＭＦＰ選択画面を表す図である。
【図１０】図８に示したモバイルＦＡＸアプリケーションの原稿をセットするよう指示している画面を表す図である。
【図１１】図８に示したモバイルＦＡＸアプリケーションのスキャン開始の指示を受け付ける画面を表す図である。
【図１２】図８に示したモバイルＦＡＸアプリケーションのＭＦＰのステータスを表示する画面を表す図である。
【図１３】本発明の実施形態にかかるファックス送信動作の全体フローを表す図である。
【図１４】図８に示したモバイルＦＡＸアプリケーションの表紙作成モードの画面を表す図である。
【図１５】図１３のフローチャートで携帯端末機器が原稿検知フラグをチェックする動作フローを示す図である。
【図１６】図１３のフローチャートで携帯端末機器がＭＦＰのステータスをチェックする動作フローを示す図である。
【図１７】図１３のフローチャートでＭＦＰがリクエストに応答する動作フローを示す図である。
【図１８】図１３のフローチャートでＭＦＰが原稿スキャンとＦＡＸ送信を行う動作フローを示す図である。
【図１９】図１３のフローチャートでＭＦＰがオートリダイヤル処理を行う動作フローを示す図である。
【図２０】図８に示したモバイルＦＡＸアプリケーションのヘッダー作成モードの画面を表す図である。
【図２１】図８に示したモバイルＦＡＸアプリケーションの表紙作成モードにおける表紙確認画面の一例を示す図である。
【図２２】図１３のフローチャートで携帯端末機器がＦＡＸ送信と原稿読み取りの設定を行う動作フローを示す図である。
【図２３】本発明の第二の実施形態にかかるファックス送信動作の携帯端末機器のフローを表す図である。
【図２４】本発明の第二の実施形態にかかるファックス送信動作のＭＦＰのフローを表す図である。
【図２５】図２３のフローチャートで携帯端末機器が原稿検知フラグをチェックする動作フローを示す図である。
【発明を実施するための形態】
【０００９】
以下、本発明を実施するための最良の形態について図面を用いて説明する。
【００１０】
［実施例１］
図１は、本発明の実施形態にかかるファックス通信システムの概要を示すシステム構成図である。
【００１１】
ＭＦＰ（１０１）は、ネットワークＩ／Ｆを持ち、ネットワーク（１０５）を介して、パーソナルコンピュータ（１０７）や、アクセスポイント（１０３）と接続されている。また、ＭＦＰ（１０１）には、ＮＦＣタグ（１０６）（ＮＦＣとは、近距離無線通信を表す）が搭載されており、ＮＦＣ搭載機器との通信ができるように構成されている。さらに、ＭＦＰ（１０１）は公衆回線網（１０８）とのＩ／Ｆも持ち、公衆回線網（１０８）を介して接続されたＦＡＸ装置（１０９）とＦＡＸ送受信が出来るように構成されている。
【００１２】
携帯端末機器（１０２）は、無線ＬＡＮ  Ｉ／Ｆ（本実施例では、ＩＥＥＥ８０２．１１規格に対応していることを前提として記載する）を持っており、無線ＬＡＮ（１０４）を介してアクセスポイント（１０３）と接続される。
【００１３】
ＭＦＰ（１０１）と携帯端末機器（１０２）が連携し、ＦＡＸ動作を行うものが、ファックス通信システムである。この例では、無線ＬＡＮ（１０４）とネットワーク（１０５）を介してＭＦＰ（１０１）と携帯端末機器（１０２）が通信し、連携するように構成されている。
【００１４】
図２は、本発明の別の実施形態にかかるファックス通信システムの概要を示すシステム構成図である。
【００１５】
ＭＦＰ（１０１）は、無線ＬＡＮ  Ｉ／Ｆを持っており、無線ＬＡＮ（１０４）を介してアクセスポイント（１０３）と接続される。無線ＬＡＮ（１０４）だけを介してＭＦＰ（１０１）と携帯端末機器（１０２）が通信し、連携するように構成されているところが、図１と異なるところである。
【００１６】
図３は、図１に示したシステムに含まれるＭＦＰ（１０１）のハードウェア構成を示す図である。
【００１７】
ＭＦＰ（１０１）は、コントローラボード（３００）、スキャナ（３０９）、プリンタエンジン（３０７）、操作パネル（３１２）、ＮＦＣアンテナ（３１４）などの部分から構成されている。これら各部がそれぞれ連動し、印刷、スキャン、コピー、ＦＡＸなどの機能を実現している。
【００１８】
スキャナ（３０９）は、原稿の読み取りを、プリンタエンジン（３０７）は、印刷データの用紙への印刷を、操作パネル（３１２）は、各種設定操作、及びアラーム等の表示を受け持つ。スキャナには原稿検知を行う原稿検知センサ（３２０）が接続されている。原稿検知センサ（３２０）は、圧板部（原稿台スキャナ部）とＡＤＦ部（ＡｕｔｏＤｏｃｕｍｅｎｔｏ Ｆｅｅｄｅｒ部）にそれぞれ備わっている。圧板部の場合、原稿台ガラス上に原稿が置かれた場合に、原稿が置かれて事を検知して、スキャナ（３０９）へ通知する。ＡＤＦ部の場合、フィーダーに原稿が置かれた場合に、原稿が置かれた事を検知してスキャナ（３０９）へ通知する。
【００１９】
コントローラボード（３００）内のＣＰＵ（３０１）はＭＦＰ全体を制御するコントローラであり、各部とシステムバス（３１９）で接続されている。
【００２０】
外部との通信は、各外部Ｉ／Ｆを介して通信可能に構成されている。ＦＡＸ  Ｉ／Ｆ（３１８）は、モジュラージャックを介し、公衆回線網（１０８）に接続され、ＦＡＸ装置（１０９）とＦＡＸ送受信を行う。ネットワークＩ／Ｆ（３１７）は、ＬＡＮ  Ｉ／Ｆコネクタを介し、ＬＡＮ（１０５）に接続し、ＰＣ（１０７）とネットワーク通信を行う。ＬＡＮ（１０５）にはアクセスポイント（１０３）も接続されており、無線ＬＡＮ（１０４）を介して携帯端末機器（１０２）とネットワーク通信を行う。ＵＳＢ  Ｉ／Ｆ（３１５）は、ＵＳＢコネクタを介し、ＰＣ（３１６）とローカル接続し、ＵＳＢ通信を行う。無線ＬＡＮ  Ｉ／Ｆ（３１０）は、無線ＬＡＮアンテナ（３１１）を介し、無線ＬＡＮによりアクセスポイント（１０３）に接続し、無線ＬＡＮ通信を行う。ＮＦＣコントローラ（３１３）は、ＮＦＣアンテナ（３１４）を介し、ＮＦＣを搭載した携帯端末機器とＮＦＣ通信を行う。
【００２１】
内部との通信は、各内部Ｉ／Ｆを介して通信可能に構成されている。スキャナ（３０９）とは、スキャナＩ／Ｆ（３０８）を介し、データ通信を行う。プリンタエンジン（３０７）とは、エンジンＩ／Ｆ（３０６）を介し、データ通信を行う。
【００２２】
操作パネル（３１２）とは、システムバス（３１９）を介し、データ通信を行う。
【００２３】
ＲＯＭ（３０３）はブートＲＯＭであり、ＭＦＰ（１０１）のブートプログラムが格納されている。ＲＡＭ（３０２）は、ＣＰＵ（３０１）が動作するためのシステムワークメモリであり、ＣＰＵ（３０１）の演算データや各種プログラムが記憶される。またＲＡＭ（３０２）は、印刷時等に画像処理部（３０５）で種々の画像処理を施された画像データを保持する画像メモリとしても利用される。
【００２４】
記憶装置（３０４）は、サイズの大きなプログラムやデータを保存しておくための不揮発の２次記憶装置であり、保存してあるサイズの大きなプログラムやデータはＲＡＭ（３０２）に展開して使用する。
【００２５】
図４は、図１に示したシステムに含まれる携帯端末機器のハードウェア構成を示す図である。
【００２６】
携帯端末機器（１０２）は、コントローラボード（４００）、表示部（４０６）、タッチパネル（４０８）、キー（４０９）、ＮＦＣアンテナ（４１４）などの部分から成り、各部がそれぞれ連動し、携帯端末機器（１０２）の機能を実現している。
【００２７】
表示部（４０６）は、表示コントローラ（４０５）により各種表示を行い、タッチパネル（４０８）、及びキー（４０９）は操作部コントローラ（４０７）により各種操作を行い、それぞれ連動し操作可能に構成されている。
【００２８】
コントローラボード（４００）内のＣＰＵ（４０１）は携帯端末機器全体を制御するコントローラであり、各部とシステムバス（４１５）で接続されている。
【００２９】
無線ＬＡＮ  Ｉ／Ｆ（４１０）は、無線ＬＡＮアンテナ（４１１）を介し、無線ＬＡＮによりアクセスポイント（１０３）に接続し、外部との無線ＬＡＮ通信を行う事が出来るように構成されている。通話部（４１２）は、図示しないマイクやスピーカと接続され、公衆回線に接続し、電話として動作するように構成されている。ＮＦＣコントローラ（４１３）は、ＮＦＣアンテナ（４１４）を介し、ＮＦＣを搭載した機器とＮＦＣ通信を行う。
【００３０】
ＲＯＭ（４０３）はブートＲＯＭであり、携帯端末機器（１０２）のブートプログラムが格納されている。ＲＡＭ（４０２）は、ＣＰＵ（４０１）が動作するためのシステムワークメモリであり、ＣＰＵ（４０１）の演算データや各種プログラムが記憶される。記憶装置（４０４）は、サイズの大きなプログラムやデータを保存しておくための不揮発の２次記憶装置であり、保存してあるサイズの大きなプログラムやデータはＲＡＭ（４０２）に展開して使用する。
【００３１】
図５は、図４に示した携帯端末機器の電話帳アプリケーションの連絡先一覧画面を表す図である。
【００３２】
電話帳アプリケーションには、電話番号、携帯電話番号、ＦＡＸ番号、メールアドレス等の情報を登録名称毎に登録する事が出来るように構成されている。
【００３３】
図５（ａ）に示すように、連絡先一覧画面（５０１）は、検索入力部（５０２）と、登録名称表示部（５０３）の表示より構成されており、ユーザは登録名称を検索したり、一覧表示の中から選択したり出来るようになっている。この例では、一覧表示の中から高橋太郎を選択するところを示している（図５（ｂ））。
【００３４】
登録名称を選択すると、その登録名称で登録されている連絡先が一覧表示される（図６）。この例では、高橋太郎という登録名称（６０１）で、電話番号（６０２）、携帯電話番号（６０３）、ＦＡＸ番号（６０４）、メールアドレス（携帯）（６０５）、メールアドレス（会社）（６０６）が登録されている。ユーザは、その中から連絡先を選択することが出来るようになっている。ＦＡＸ番号（６０４）を選択した場合は、モバイルＦＡＸアプリケーションが起動し、ＭＦＰ（１０１）と連携してＦＡＸ送信を行うことができるようになっている。
【００３５】
次に、図７から図１２、及び図１４、及び図２０、図２１を用いて携帯端末機器（１０２）上で動作するＭＦＰ連携アプリケーション（本実施例ではモバイルＦＡＸ、モバイルＳｃａｎと呼ぶ）の動作と画面の説明をする。前述の通り、本実施例では携帯端末機器（１０２）には表示部（４０６）とタッチパネル（４０８）が備わっている。ユーザは、表示部（４０６）に表示されるメニューやボタンに対して、タッチパネル（４０８）を指などでスライドやタッチをする事でメニューのスクロールやボタンの押下などの指示を与える事ができる。図７から図１２で説明する画面はタッチパネルによる入力を前提としている。
【００３６】
図７は、ＭＦＰ連携アプリケーションのトップ画面を表す図である。本発明にかかる実施例に於いては、携帯端末機器（１０２）とＭＦＰ（１０１）とが連携してＦＡＸ送信を行うモバイルＦＡＸアプリケーションについて説明する。モバイルＦＡＸボタン（７０１）を押下すると、図８（ａ）に示すようなモバイルＦＡＸアプリケーションの設定画面が表示される。宛先など設定可能な項目が表示され、タッチパネルの操作で各項目を設定できるようになっている。宛先選択ボタン（８０１）を押下すると、図８（ｂ）のような画面に切り替わり、宛先設定方法を選択するための表示となる。電話帳参照ボタン（８０７）を選択すると、図５に示すような電話帳アプリケーションの画面から宛先を選択することが出来る。
【００３７】
或いは、番号を手入力で設定することも、履歴を参照して宛先選択することもできるようになっている。また、ＦＡＸ送信の際に設定可能な種々のモードもタッチパネルの操作で各項目を設定できるようになっている。解像度の設定は、解像度設定ボタン（８０２）に候補が表示され、変更したい場合にはボタンを押下することで別の候補も含めた画面に切り替わりその中から選択することが出来る。変更しない場合は、解像度設定ボタン（８０２）に表示されている設定値（200×100dpi）で設定される。変更した場合は、解像度設定ボタン（８０２）に変更した設定値が表示され、その設定値で設定される。濃度設定ボタン（８０３）、両面設定ボタン（８０４）、シャープネス設定ボタン（８０５）、その他詳細ボタン（８０８）も同様の操作で設定値を変更することが出来る。その他詳細ボタン（８０８）を押下すると、図８（Ｃ）のような画面に切り替わり、その他詳細の設定として設定可能な項目が表示される。ここでは、表紙作成（８０９）、ヘッダー作成（８１０）、及びＥＣＭ送信を設定できる例を示している。
【００３８】
表紙作成ボタン（８０９）を選択すると、図１４に示すような表紙作成モードの画面が表示され、表紙作成の設定を行う事が出来るようになる。或いは、ヘッダー作成ボタン（８１０）を選択すると、図２０に示すようなヘッダー作成モードの画面が表示され、ヘッダー作成の設定を行う事が出来るようになる。同様にＥＣＭ送信ボタンを選択すると、ＥＣＭ送信の有無を選択することもできるようになっている。
【００３９】
図１４（ａ）は表紙作成モードの画面であり、初期設定で設定された状態が一覧できるようにこの例では構成されている。ボタン（１４０１）を押下すると、図１４（ｂ）の画面に切り替わり、宛先、日付、件名、枚数、送信元の各項目の初期設定を変更する事が出来る。宛先は、ボタン（１４１０）で、携帯端末機器（１０２）の電話帳に登録されたどの情報を宛先として利用するか選択するかを設定する事が出来るように構成されている。姓のみか、姓名か、さらには所属まで組み合わせて使うかを選択することができる。敬称は、ボタン（１４１１）で、様、殿、等の候補の中から選択できるようになっている。
【００４０】
同報送信は、複数の送信先があるので、ボタン（１４１２）で、個人ごとにその人だけの宛先にするか、複数の送信先を連名で並べるかを選択する事が出来る。日付は、ボタン（１４１３）で、表示形式を選択することが出来る。件名は、ボタン（１４１４）で、手動入力か、定型の文言の中から選択できるようになっており、ここでは、定型の例として、ＦＡＸ文書としている。枚数は、ボタン（１４１５）で、定型の文言の中から選択できるようになっており、ここでは、定型の例として、枚（表紙含まず）としている。送信元設定は、ボタン（１４１６）で、携帯端末機器（１０２）の電話帳に登録されたどの情報を送信元として利用するか選択するかを設定する事が出来るように構成されている。
【００４１】
携帯端末機器（１０２）の電話帳は、マイプロフィールとして本人の情報を登録出来ようになっており、ここでは、マイプロフィールに登録された情報を参照して送信元情報として利用する。送信元の情報として、名前は、姓のみか、姓名か、さらには所属まで組み合わせて使うか、及び連絡先として、連絡先番号は、ＦＡＸ番号のうちどれを使うかを選択する事が出来る。また、連絡先として、ＦＡＸ番号だけでなく、電話番号や、メールアドレスも利用する事が出来るようにすることも可能である。また、今回は一つのテンプレートに従い、説明したが、言語として英語を用いるなどいろいろな種類のテンプレートに応用する事も可能である。ボタン（１４１７）はＯＫボタンであり、押下されると、初期設定を変更し表紙作成モードの画面に戻り、ボタン（１４１８）はキャンセルであり、押下されると、初期設定を変更せずに表紙作成モードの画面に戻る。ボタン（１４０２）からボタン（１４０７）は表紙設定の各項目を変更するためのボタンであり、この例では初期設定で設定されたモードが確認できるように構成されている。
【００４２】
枚数を設定するためのボタン（１４０６）を押下すると、枚数を手動入力する画面に切り替わり、ユーザが枚数を入力し、設定する。その他の項目に関しても、手動入力する事が出来るようになっており、この画面から自由に表紙を作成することができる。ボタン（１４０８）はＯＫボタンであり、押下されると、表紙モード設定に従い、表紙データを作成し、図２１に示すような表紙確認画面へと進む。図２１（ａ）、図２１（ｂ）、図２１（Ｃ）は、表紙確認画面の一例であり、表紙モード設定に従った表紙が作成されプレビュー表示される（２１０１から２１０３）。表示（２１０１）は、図１４（ａ）の設定での表示例、表示（２１０２）は、同報送信の設定を連名に変更した際の表示例、表示（２１０３）は、送信元情報としてマイプロフィールに登録された所属情報まで組み合わせた際の表示例である。
【００４３】
ボタン（２１０４）はＯＫボタンであり、押下されると、表紙を作成し、ボタン（２１０５）はキャンセルであり、押下されると、表紙作成モードの画面に戻る。ボタン（１４０９）はキャンセルであり、押下されると、表紙作成を中止する。図２０はヘッダー作成モードの画面であり、ヘッダーの設定が確認できるようにこの例では構成されている。ボタン（２００２）を押下することで、マイプロフィールに登録された情報を参照して候補の中から選択し、ヘッダー情報として利用出来るようになっている。マイプロフィールを使わない場合は、ボタン（２００１）を押下することで、手動入力した情報をヘッダーとして利用することもできる。
【００４４】
また、ヘッダー設定ボタン（２００３）を押下すると、ＭＦＰのＦＡＸ番号をそのまま使うか、モバイルＦＡＸで作成したヘッダー情報に更新するか、或いはモバイルＦＡＸで作成したヘッダー情報を追加するか、選択する事が出来る。ボタン（２００４）はＯＫボタンであり、押下されると、ヘッダーを作成し、ボタン（２００５）はキャンセルであり、押下されると、ヘッダー作成を中止する。
【００４５】
図８（ａ）において、次へボタン（８０６）を押下することで、各項目が設定され、図９（ａ）に示すようなＭＦＰ選択画面へ切り替わる。この画面は次の処理へ進むメッセージの表示（９０１）と、処理を中止するためにキャンセルボタン（９０２）の表示を行っている。
【００４６】
次の処理へ進むためにＭＦＰ（１０１）のＮＦＣ（１０６）に携帯端末機器（１０２）をタッチすると、図９（ｂ）の表示に切り替わる。この画面は、ＭＦＰ（１０１）と携帯端末機器（１０２）が連携するための準備を行っていることを示すアラーム表示（９０３）である。次に、ＭＦＰ（１０１）と携帯端末機器（１０２）が連携する準備が出来ると、図１０に示すような原稿をセットするよう指示する画面に切り替わる。この画面は次の処理へ進むメッセージの表示（１００１）と、処理を中止するためにキャンセルボタン（１００２）の表示を行っている。次に、ＭＦＰ（１０１）に原稿がセットされると、図１１に示すようなスキャン開始の指示を受け付ける画面に切り替わる。この画面は次の処理へ進むメッセージの表示（１１０１）と、スキャン開始を指示するためのスキャン開始ボタン（１１０２）と、処理を中止するためにキャンセルボタン（１１０３）の表示を行っている。
【００４７】
次に、スキャン開始ボタン（１１０２）が押下されると、図１２に示すようなＭＦＰ（１０１）のステータスを表示する画面に切り替わる。ＭＦＰ（１０１）のステータスを表すメッセージの表示（１２０１）と、送信の中止を指示するために送信中止ボタン（１２０２）の表示を行っている。
【００４８】
次に、図１３、及び図１５から図１９、及び図２２を用いて、ＭＦＰ（１０１）と携帯端末機器（１０２）とが連携してＦＡＸ送信する動作フローについて説明する。図１３は、本実施例に於ける携帯端末機器（１０２）とＭＦＰ（１０１）とが連携してＦＡＸ送信する基本的な動作フローを表したフローチャートである。
【００４９】
本フローチャートのうち、携帯端末機器（１０２）側の処理（Ｓ１３０１〜Ｓ１３１４）は、図４に示したコントローラボード（４００）のＲＯＭ（４０３）、記憶装置（４０４）、ＲＡＭ（４０２）のいずれかに記憶されたプログラムに基づき、ＣＰＵ（４０１）によって実行される。また、本フローチャートのうち、ＭＦＰ（１０１）側の処理（Ｓ１３１５〜Ｓ１３２３）は、図３に示したコントローラボード（３００）のＲＯＭ（３０３）、記憶装置（３０４）、ＲＡＭ（３０２）のいずれかに記憶されたプログラムに基づき、ＣＰＵ（３０１）によって実行される。
【００５０】
まず、ＭＦＰ（１０１）は主電源がＯＮされると前述の通り、コントローラボード（３００）のＲＯＭ（３０３）に記憶されたプログラムに基づきＣＰＵ（３０１）を起動させる（Ｓ１３１５）。続いて、ＮＦＣタグ（１０６）に自機のネットワーク上のアドレス（本実施例に於いてはＩＰアドレス）を書き込む（Ｓ１３１６）。具体的には、ＮＦＣコントローラ（３１３）内部に備わる不揮発性メモリ（ＥＥＰＲＯＭなど）に自機のＩＰアドレスを記憶しておく。
【００５１】
一方、携帯端末機器（１０２）では、モバイルＦＡＸを行うためにモバイルＦＡＸアプリケーションを起動する（Ｓ１３０１）。起動したモバイルＦＡＸアプリケーションは、前述の図８（ａ）の画面になり、ここで宛先の設定（８０１）や送信／原稿スキャン設定（８０２〜８０５，８０８）を行う（Ｓ１３０２〜Ｓ１３０３）。このＦＡＸ送信、及び原稿読み取りの設定に関して、図２２を用いて詳細に説明する。その他詳細ボタン（８０８）により設定可能な項目が設定されている場合（Ｓ２２０１のＹＥＳ）、ＥＣＭ送信を使うになっているとき（Ｓ２２０２のＹＥＳ）は、ＥＣＭ送信を使う設定を行う（Ｓ２２０３）。
【００５２】
次に表紙作成モードが選択された場合（Ｓ２２０５のＹＥＳ）、図１４に示す画面のような表紙作成モードを起動する（Ｓ２２０６）。表紙作成モードで設定可能な項目が設定され、表紙確認ボタン（１４０８）を押下される（Ｓ２２０７のＹＥＳ）と、設定に従い、表紙作成し、図２１に示すようなプレビュー表示を行う（Ｓ２２０８）。ユーザによりＯＫボタン（２１０４）を押下されると（Ｓ２２０９のＹＥＳ）、表紙データを作成する（Ｓ２２１０）。表紙確認時にキャンセルボタン（２１０５）を押下されると（Ｓ２２０９のＮＯ）、表紙作成モードに戻り、表紙作成モード中にキャンセルボタン（１４０９）を押下されると（Ｓ２２１１のＹＥＳ）、表紙作成を中止する。
【００５３】
次にヘッダー作成モードが選択された場合（Ｓ２２１２のＹＥＳ）、図２０に示す画面のようなヘッダー作成モードを起動する（Ｓ２２１３）。ヘッダー作成モードで設定可能な項目が設定され、ＯＫボタン（２００４）が押下されると（Ｓ２２１４のＹＥＳ）、設定に従い、ヘッダーデータを作成する（Ｓ２２１５）。ヘッダー作成モード中にキャンセルボタン（２００５）を押下されると（Ｓ２２１６のＹＥＳ）、ヘッダー作成を中止する。その他詳細設定が完了すると、解像度、濃度、両面、シャープネスの設定に応じた設定を行う（Ｓ２２０４）。解像度は、読み取り解像度のことで、２００×２００ｄｐｉ（ファイン）など選択肢の中から選択するようになっている。
【００５４】
濃度は、段階的に読み取り濃度を調整できるようになっている。両面は、原稿の両面読み取りをＯＦＦしたり、左右開き、上下開きを設定したりできるようになっている。シャープネスは原稿の画像のエッジをくっきりさせるか、コントラストを弱めるかを段階的に調整できるようになっている。ユーザはこれらの項目を原稿の特性や好みに応じて設定できるようになっており、設定を完了すると、このサブルーチン（１３０３）を抜ける。
【００５５】
送信設定（宛先、送信設定、スキャン設定）が終わると、続いて実際に原稿をスキャンしてＦＡＸ送信を行うＭＦＰ（１０１）の選択をする。図８では「次へボタン」（８０６）を押下する事で図９の画面に遷移する（Ｓ１３０４）。
【００５６】
本実施例に於いてはＭＦＰの選択を、携帯端末機器（１０２）に備わるＮＦＣリーダによってＭＦＰ（１０１）に備わるＮＦＣタグ（１０６）から情報を読み出す事によって行う。従って、携帯端末機器（１０２）のＮＦＣコントローラ（４１３）をリーダモードで起動させる（Ｓ１３０５）。ユーザが携帯端末機器（１０２）をＭＦＰ（１０１）のＮＦＣタグ（１０６）に近づける事で、ＮＦＣの通信可能範囲内に入り、携帯端末機器（１０２）のＮＦＣリーダでＭＦＰ（１０１）のＮＦＣタグ（１０６）から情報を読み出す（Ｓ１３０６，Ｓ１３１７）。
【００５７】
携帯端末機器（１０２）のＮＦＣコントローラ（４１３）で読み出した情報から選択したＭＦＰ（１０１）のＩＰアドレスを抽出する（Ｓ１３０７）。携帯端末機器（１０２）は、無線ＬＡＮＩ／Ｆ（４１０）を介して抽出したＩＰアドレスにアクセスし、ＭＦＰ（１０１）に対してモバイルＦＡＸのリクエスト（要求）を送信する（Ｓ１３０８）。より詳細には、携帯端末機器（１０２）から無線ＬＡＮＩ／Ｆ（４１０）を介して、アクセスポイント（１０３）、ネットワーク（１０５）を経由してＭＦＰ（１０１）へリクエストを送信する（或いはアクセスポイント（１０３）から無線で送信する（図２のシステムの場合））。無線ＬＡＮＩ／Ｆ（３１０）、或いはネットワークＩ／Ｆ（３１７）経由でリクエストを受信したＭＦＰ（１０１）は、リクエストに対して所定の応答を携帯端末機器（１０２）へ返信する（Ｓ１３１８）。
【００５８】
ＭＦＰ（１０１）は、ＡＤＦ部、或いは圧板部に原稿がセットされると（Ｓ１３１８のＹＥＳ）、原稿有りフラグをセットする（Ｓ１３２０）。
【００５９】
ＭＦＰ（１０１）によるリクエストに対する応答の処理フローは図１７を用いて詳細に説明する。ＭＦＰ（１０１）は無線ＬＡＮＩ／Ｆ（３１０）、或いはネットワークＩ／Ｆ（３１７）を経由してリクエストを受信したか判断する（Ｓ１７０１）。リクエストを受信した場合、自機にＦＡＸ機能を有するかどうか判断する（Ｓ１７０２）。自機にＦＡＸ機能を有する場合、受信したリクエストに対する応答を返信する（Ｓ１７０３）。応答を返信した後は、原稿検知センサ（３２０）で原稿がセットされたか否かの監視を開始し、サブルーチンＳ１３１８を抜ける。
【００６０】
一方、Ｓ１７０２で自機にＦＡＸ機能を有さないと判断された場合、ＦＡＸ機能を有さないため、モバイルＦＡＸのリクエストを実行できない旨を含んだ情報を応答として携帯端末機器（１０２）へ返信し、フローチャートを終了する。
【００６１】
ＭＦＰ（１０１）から所定の応答を受信した携帯端末機器（１０２）は、原稿検知フラグがＭＦＰ（１０１）にセットされたか否かをチェックするサブルーチンへ移行する（Ｓ１３０９）。ここで、図１５を用いてサブルーチンＳ１３０９の処理フローの詳細を説明する。
【００６２】
ＭＦＰ（１０１）からリクエストに対する応答があった場合（Ｓ１５０１のＹＥＳ）、応答の情報からリクエストを送信したＭＦＰ（１０１）にＦＡＸ機能があるか否かを判断する（Ｓ１５０２）。ＭＦＰ（１０１）がＦＡＸ機能を有すると判断した場合（Ｓ１５０２のＹＥＳ）、携帯端末機器（１０２）の表示部（４０６）に原稿をＭＦＰにセットするよう指示する旨のメッセージを表示する（Ｓ１５０３）。具体的には前述した図１０の１００１のような表示をする。続いて、ＭＦＰ（１０１）に対して原稿のセットを検知したかを問い合わせる（Ｓ１５０４）。
【００６３】
具体的には、ＭＦＰ（１０１）に対して原稿検知フラグの問い合わせを定期的に行う（原稿検知フラグをポーリングする）。ポーリングに対して応答があり（Ｓ１５０５のＹＥＳ）、原稿検知フラグがセットされていた場合（Ｓ１５０６のＹＥＳ）、携帯端末機器（１０２）の表示部（４０６）に原稿がセットされた旨を通知するメッセージを表示する（Ｓ１５０７）。メッセージは、具体的には図１１の１１０１のような表示である。メッセージを表示したならば、サブルーチンＳ１３０９を抜ける。一方、ＭＦＰ（１０１）にＦＡＸ機能が無いと判断した場合（Ｓ１５０２のＮＯ）、携帯端末機器（１０２）の表示部（４０６）に選択したＭＦＰにはＦＡＸが無い旨の表示を行う（Ｓ１５０９）。
【００６４】
次に、図９（ａ）に示すようなＭＦＰのＮＦＣタグにタッチすることを促す表示（９０１）に切り替え、別のＭＦＰを選択する（Ｓ１３０４）。また、ＭＦＰ（１０１）からリクエストに対する応答が所定時間内に無かった場合（Ｓ１５０１のＮＯ）、タイムアウトし（Ｓ１５０８）、携帯端末機器（１０２）の表示部（４０６）にＭＦＰから応答の無い旨の表示を行い（Ｓ１５１１）、フローチャートを終了する。同様に、原稿検知フラグのポーリングに対して応答が所定時間内に無かった場合（Ｓ１５０５のＮＯ）、タイムアウトし（Ｓ１５１０）、携帯端末機器（１０２）の表示部（４０６）にＭＦＰから応答の無い旨の表示を行い（Ｓ１５１１）、フローチャートを終了する。
【００６５】
ＭＦＰ（１０１）に原稿がセットされると、携帯端末機器（１０２）の表示部（４０６）に、ＭＦＰ（１０１）がスキャンを開始するためのスキャン開始ボタン（１１０２）が表示される（Ｓ１３１０）。スキャン開始ボタン（１１０２）が押下されると（Ｓ１３１１のＹＥＳ）、ＭＦＰ（１０１）はスキャン指示に従い（Ｓ１３２１）、携帯端末機器（１０２）はＭＦＰ（１０１）のステータスをチェックする処理（Ｓ１３１３）に入る。ＭＦＰ（１０１）によるステップＳ１３２２のスキャン＆ＦＡＸ送信の処理フローは図１８を用いて詳細に説明する。
【００６６】
ＭＦＰ（１０１）は宛先、送信設定、スキャン設定等の送信設定を受信する（Ｓ１８０１）と、それらを記憶する（Ｓ１８０２）。また、表紙データが有った場合（Ｓ１８２２のＹＥＳ）、表紙データを記憶する（Ｓ１８２３）。
【００６７】
さらに、ヘッダーデータが有った場合（Ｓ１８２４のＹＥＳ）、ヘッダーデータを記憶する（Ｓ１８２５）。原稿がＡＤＦ部にセットされた場合（Ｓ１８０３のＹＥＳ）、送信設定に従い、ＡＤＦスキャンを開始する（Ｓ１８０４）。スキャン処理を実行し（Ｓ１８０５）、スキャンした画像データを１ページ分記憶する（Ｓ１８０６）。全ての原稿をスキャン完了するまで、原稿をスキャンし、１ページ分の画像データを記憶する処理を繰り返す（Ｓ１８０７のＹＥＳ）。全ての原稿のスキャンが完了したら（Ｓ１８０７のＮＯ）、表紙設定に応じて表紙データを生成して（Ｓ１８２６）、公衆回線をチェックする（Ｓ１８０８）。
【００６８】
その結果、発呼可能であれば（Ｓ１８０９のＹＥＳ）、送信設定で指定された宛先に発呼し（Ｓ１８１０）、ＦＡＸ送信を開始する（Ｓ１８１１）。ＦＡＸ送信が正常終了したら（Ｓ１８１２のＹＥＳ）、送信完了し（Ｓ１８１３）、サブルーチンＳ１３２２を抜ける。ＦＡＸ送信が正常終了しなかったら（Ｓ１８１２のＮＯ）、相手が話し中であるか判断し（Ｓ１８１４）、話し中の場合は（Ｓ１８１４のＹＥＳ）、オートリダイヤル処理（Ｓ１８１５）のサブルーチンへ移行する。サブルーチンＳ１８１５のオートリダイヤル処理に関しては、図１９を用いてフローの詳細を後述する。話し中では無かった場合は（Ｓ１８１４のＮＯ）、エラー終了し（Ｓ１８１６）、サブルーチンＳ１３２２を抜ける。
【００６９】
次に、ステップＳ１８０３で原稿が圧板部にセットされた場合（Ｓ１８０３のＮＯ）、送信設定に従い、ＢＯＯＫスキャンを開始する（Ｓ１８１７）。スキャン処理を実行し（Ｓ１８１８）、スキャンした画像データを１ページ分記憶する（Ｓ１８１９）。１ページ分の記憶が完了すると、次の原稿の読み込みを指示する表示を行い（Ｓ１８２０）、全ての原稿をスキャン完了するまで、これらの処理を繰り返す（Ｓ１８２１のＹＥＳ）。全ての原稿のスキャンが完了したら（Ｓ１８２１のＮＯ）、ヘッダー設定に応じてヘッダーデータを生成して（Ｓ１８２６）、ＡＤＦ読み込みの際と同様に以降の処理を実行する。
【００７０】
次に、オートリダイヤル処理に関して、図１９を用いてフローの詳細を説明する。オートリダイヤル設定を読み出し（Ｓ１９０１）、以降のステップを実行する。リダイヤル待ちのステータス（Ｓ１９０２）で、リダイヤル待ち時間をセットする（Ｓ１９０３）。待ち時間が経過したら（Ｓ１９０４のＹＥＳ）、リダイヤル回数をカウントする処理を実行し（Ｓ１９０５）、公衆回線をチェックする（Ｓ１９０６）。その結果、発呼可能であれば（Ｓ１９０７のＹＥＳ）、送信設定で指定された宛先に発呼し（Ｓ１９０８）、ＦＡＸ送信を開始する（Ｓ１９０９）。ＦＡＸ送信が正常終了したら（Ｓ１９１０のＹＥＳ）、送信完了し（Ｓ１９１１）、サブルーチンＳ１８１５を抜ける。ＦＡＸ送信が正常終了しなかったら（Ｓ１９１０のＮＯ）、相手が話し中であるか判断し（Ｓ１９１２）、話し中の場合は（Ｓ１９１２のＹＥＳ）、リダイヤル回数が上限回数に到達したか判断する（Ｓ１９１４）。
【００７１】
上限回数に達していない場合（Ｓ１９１４のＹＥＳ）、ステップＳ１９０２のリダイヤル待ちのステータスに戻す。上限回数に達した場合（Ｓ１９１４のＮＯ）、エラー終了し（Ｓ１９１３）、サブルーチンＳ１８１５を抜ける。またステップＳ１９１２で話し中では無かった場合も（Ｓ１９１２のＮＯ）、エラー終了し（Ｓ１９１３）、サブルーチンＳ１８１５を抜ける。
【００７２】
携帯端末機器（１０２）によるステップＳ１３１３のＭＦＰ（１０１）のステータスをチェックする処理フローは図１６を用いて詳細に説明する。
【００７３】
ＭＦＰ（１０１）に対し、ステータスチェックを行い（Ｓ１６０１）、応答があった場合（Ｓ１６０２のＹＥＳ）、応答の情報からステータスを取得する（Ｓ１６０３）。次に取得したＭＦＰ（１０１）のステータスを携帯端末機器（１０２）の表示部（４０６）に表示する（Ｓ１６０４）。
【００７４】
具体的にはダイヤル中／ＦＡＸ送信中といったステータスを表示する。ＦＡＸ送信が完了したら（Ｓ１６０５のＹＥＳ）、携帯端末機器（１０２）の表示部（４０６）にＦＡＸ送信完了した旨の表示をして（Ｓ１６０６）、サブルーチンＳ１３１３を抜ける。一方、ＦＡＸ送信が完了せずに（Ｓ１６０５のＮＯ）、エラー終了した場合（Ｓ１６０８のＹＥＳ）、携帯端末機器（１０２）の表示部（４０６）にＦＡＸ送信がエラー終了旨の表示を行い（Ｓ１６０９）、サブルーチンＳ１３１３を抜ける。ＦＡＸ送信は完了していないが、エラー終了でもない場合（Ｓ１６０８のＮＯ）、再度ステータスのチェック（Ｓ１６０１）に戻る。
【００７５】
また、ＭＦＰ（１０１）のステータスチェックで、応答が所定時間内に無かった場合（Ｓ１６０２のＮＯ）、タイムアウトする（Ｓ１６０７）。この場合、携帯端末機器（１０２）の表示部（４０６）にＭＦＰから応答の無い旨の表示を行い（Ｓ１５１１）、フローチャートを終了する。
【００７６】
携帯端末機器（１０２）はステップＳ１３１４で、送信履歴を記憶し、フローチャートを終了する。同様に、ＭＦＰ（１０１）もステップＳ１３２３で、送信履歴を記憶し、フローチャートを終了する。
【００７７】
モバイルＳｃａｎボタン（７０２）を押下すると、モバイルＳｃａｎアプリケーションが起動し、携帯端末機器（１０２）とＭＦＰ（１０１）とが連携してＳｃａｎ動作を行うことができる。モバイルＳｃａｎアプリケーションの詳細の説明は省略する。
【００７８】
［実施例２］
次に、図１６から図１９、及び図２２から図２５を用いて本発明に係る第２の実施形態について説明する。
【００７９】
図２３及び図２４は、本実施例に於ける携帯端末機器（１０２）とＭＦＰ（１０１）とが連携してＦＡＸ送信する基本的な動作フローを表したフローチャートである。図２３のフローチャート（Ｓ２３０１〜Ｓ２３１８）は、図４に示したコントローラボード（４００）のＲＯＭ（４０３）、記憶装置（４０４）、ＲＡＭ（４０２）のいずれかに記憶されたプログラムに基づき、ＣＰＵ（４０１）によって実行される。また、図２４のフローチャート（Ｓ２４０１〜Ｓ２４１７）は、図３に示したコントローラボード（３００）のＲＯＭ（３０３）、記憶装置（３０４）、ＲＡＭ（３０２）のいずれかに記憶されたプログラムに基づき、ＣＰＵ（３０１）によって実行される。
【００８０】
まず、ＭＦＰ（１０１）は主電源がＯＮされると前述の通り、コントローラボード（３００）のＲＯＭ（３０３）に記憶されたプログラムに基づきＣＰＵ（３０１）を起動させる（Ｓ２４０１）。続いて、ＮＦＣタグ（１０６）に自機のネットワーク上のアドレス（本実施例に於いてはＩＰアドレス）を書き込む（Ｓ２４０２）。具体的には、ＮＦＣコントローラ（３１３）内部に備わる不揮発性メモリ（ＥＥＰＲＯＭなど）に自機のＩＰアドレスを記憶しておく。
【００８１】
一方、携帯端末機器（１０２）では、モバイルＦＡＸを行うためにモバイルＦＡＸアプリケーションを起動する（Ｓ２３０１）。起動したモバイルＦＡＸアプリケーションは、前述の図８（ａ）の画面になり、ここで宛先の設定（８０１）や送信／原稿スキャン設定（８０２〜８０５，８０８）を行う（Ｓ２３０２〜Ｓ２３０３）。このＦＡＸ送信、及び原稿読み取りの設定に関して、図２２を用いて詳細に説明する。その他詳細ボタン（８０８）により設定可能な項目が設定されている場合（Ｓ２２０１のＹＥＳ）、ＥＣＭ送信を使うになっているとき（Ｓ２２０２のＹＥＳ）は、ＥＣＭ送信を使う設定を行う（Ｓ２２０３）。
【００８２】
次に表紙作成モードが選択された場合（Ｓ２２０５のＹＥＳ）、図１４に示す画面のような表紙作成モードを起動する（Ｓ２２０６）。表紙作成モードで設定可能な項目が設定され、表紙確認ボタン（１４０８）を押下される（Ｓ２２０７のＹＥＳ）と、設定に従い、表紙作成し、図２１に示すようなプレビュー表示を行う（Ｓ２２０８）。ユーザによりＯＫボタン（２１０４）を押下されると（Ｓ２２０９のＹＥＳ）、表紙データを作成する（Ｓ２２１０）。表紙確認時にキャンセルボタン（２１０５）を押下されると（Ｓ２２０９のＮＯ）、表紙作成モードに戻り、表紙作成モード中にキャンセルボタン（１４０９）を押下されると（Ｓ２２１１のＹＥＳ）、表紙作成を中止する。次にヘッダー作成モードが選択された場合（Ｓ２２１２のＹＥＳ）、図２０に示す画面のようなヘッダー作成モードを起動する（Ｓ２２１３）。ヘッダー作成モードで設定可能な項目が設定され、ＯＫボタン（２００４）が押下されると（Ｓ２２１４のＹＥＳ）、設定に従い、ヘッダーデータを作成する（Ｓ２２１５）。ヘッダー作成モード中にキャンセルボタン（２００５）を押下されると（Ｓ２２１６のＹＥＳ）、ヘッダー作成を中止する。その他詳細設定が完了すると、解像度、濃度、両面、シャープネスの設定に応じた設定を行う（Ｓ２２０４）。解像度は、読み取り解像度のことで、２００×２００ｄｐｉ（ファイン）など選択肢の中から選択するようになっている。
【００８３】
濃度は、段階的に読み取り濃度を調整できるようになっている。両面は、原稿の両面読み取りをＯＦＦしたり、左右開き、上下開きを設定したりできるようになっている。シャープネスは原稿の画像のエッジをくっきりさせるか、コントラストを弱めるかを段階的に調整できるようになっている。ユーザはこれらの項目を原稿の特性や好みに応じて設定できるようになっており、設定を完了すると、このサブルーチン（２３０３）を抜ける。
【００８４】
送信設定（宛先、送信設定、スキャン設定）が終わると、続いて実際に原稿をスキャンしてＦＡＸ送信を行うＭＦＰ（１０１）の選択をする。図８では「次へボタン」（８０６）を押下する事で図９の画面に遷移する（Ｓ２３０４）。本実施例に於いてはＭＦＰの選択を、携帯端末機器（１０２）に備わるＮＦＣリーダによってＭＦＰ（１０１）に備わるＮＦＣタグ（１０６）から情報を読み出す事によって行う。従って、携帯端末機器（１０２）のＮＦＣコントローラ（４１３）をリーダモードで起動させる（Ｓ２３０５）。
【００８５】
ユーザが携帯端末機器（１０２）をＭＦＰ（１０１）のＮＦＣタグ（１０６）に近づける事で、ＮＦＣの通信可能範囲内に入り、携帯端末機器（１０２）のＮＦＣリーダでＭＦＰ（１０１）のＮＦＣタグ（１０６）から情報を読み出す（Ｓ２３０６，Ｓ２４０３）。携帯端末機器（１０２）のＮＦＣコントローラ（４１３）で読み出した情報から選択したＭＦＰ（１０１）のＩＰアドレスを抽出する（Ｓ２３０７）。携帯端末機器（１０２）は、無線ＬＡＮＩ／Ｆ（４１０）を介して抽出したＩＰアドレスにアクセスし、ＭＦＰ（１０１）に対してモバイルＦＡＸのリクエスト（要求）及び携帯端末のユーザ情報（例えば電話番号など）を送信する（Ｓ２３０８）。
【００８６】
より詳細には、携帯端末機器（１０２）から無線ＬＡＮ Ｉ／Ｆ（４１０）を介して、アクセスポイント（１０３）、ネットワーク（１０５）を経由してＭＦＰ（１０１）へリクエストを送信する（或いはアクセスポイント（１０３）から無線で送信する（図２のシステムの場合））。無線ＬＡＮＩ／Ｆ（３１０）、或いはネットワークＩ／Ｆ（３１７）経由でリクエストを受信したＭＦＰ（１０１）は、リクエストに対して所定の応答を携帯端末機器（１０２）へ返信する（Ｓ２４０４）。そして携帯端末機器から受信したユーザ情報をＲＡＭ（４０２）に記憶し、原稿検知と紐づけを行う（Ｓ２４０５）。Ｓ２４０５で記憶したユーザ情報に基づいて操作部（４０６）上に記憶したユーザ（例えばＸＸ）の原稿待ちである旨を表示させる（Ｓ２４０６）。ＭＦＰ（１０１）は、ＡＤＦ部、或いは圧板部に原稿がセットされると（Ｓ２４０７のＹＥＳ）、ユーザ情報と紐づいた原稿ありフラグをセットする（Ｓ２４０８）。
【００８７】
原稿がセットされない場合（Ｓ２４０７のＮＯ）、かつ他のユーザから原稿待ちユーザの切り替え指示がある場合（Ｓ２４１４のＹＥＳ）はユーザ情報をＲＡＭ（４０２）に新たに記憶する（Ｓ２４１５）。原稿検知と紐づいたユーザを切り替える（Ｓ２４１６）。Ｓ２４１６で記憶したユーザ情報に基づいて操作部（４０６）に新たに記憶したユーザ（例えばＹＹ）の原稿待ちですと表示させる（Ｓ２４１７）。
【００８８】
ＭＦＰ（１０１）から所定の応答を受信した携帯端末機器（１０２）は、原稿検知と紐づいたユーザ情報が自らのユーザ情報と一致している場合（Ｓ２３０９のＹＥＳ）は原稿検知フラグがＭＦＰ（１０１）にセットされたか否かをチェックするサブルーチンへ移行する（Ｓ２３１０）。ここで、図２５を用いてサブルーチンＳ２３０９の処理フローの詳細を説明する。
【００８９】
ＭＦＰ（１０１）からリクエストに対する応答があった場合（Ｓ２５０１のＹＥＳ）、応答の情報からリクエストを送信したＭＦＰ（１０１）にＦＡＸ機能があるか否かを判断する（Ｓ２５０２）。ＭＦＰ（１０１）がＦＡＸ機能を有すると判断した場合（Ｓ２５０２のＹＥＳ）、携帯端末機器（１０２）の表示部（４０６）に原稿をＭＦＰにセットするよう指示する旨のメッセージを表示する（Ｓ２５０３）。具体的には前述した図１０の１００１のような表示をする。
【００９０】
続いて、ＭＦＰ（１０１）に対して原稿のセットを検知したかを問い合わせる（Ｓ２５０４）。具体的には、ＭＦＰ（１０１）に対して原稿検知フラグの問い合わせを定期的に行う（原稿検知フラグをポーリングする）。ポーリングに対して応答があり（Ｓ２５０５のＹＥＳ）、自らのユーザ情報と紐づいた原稿検知フラグがセットされていた場合（Ｓ２５０６のＹＥＳ）、携帯端末機器（１０２）の表示部（４０６）に原稿がセットされた旨を通知するメッセージを表示する（Ｓ２５０７）。メッセージは、具体的には図１１の１１０１のような表示である。メッセージを表示したならば、サブルーチンＳ２３０９を抜ける。
【００９１】
一方、ポーリングに対して応答があり（Ｓ２５０５のＹＥＳ）、自らのユーザ情報と紐づいた原稿検知フラグがセットされていなかった場合（Ｓ２５０６のＮＯ）、携帯端末機器（１０２）の表示部（４０６）に原稿待ちユーザが切り替わった旨を表示する（Ｓ２５０２）。
【００９２】
一方、ＭＦＰ（１０１）にＦＡＸ機能が無いと判断した場合（Ｓ２５０２のＮＯ）、携帯端末機器（１０２）の表示部（４０６）に選択したＭＦＰにはＦＡＸが無い旨の表示を行う（Ｓ２５０９）。次に、図９（ａ）に示すようなＭＦＰのＮＦＣタグにタッチすることを促す表示（９０１）に切り替え、別のＭＦＰを選択する（Ｓ２３０４）。また、ＭＦＰ（１０１）からリクエストに対する応答が所定時間内に無かった場合（Ｓ２５０１のＮＯ）、タイムアウトし（Ｓ２５０８）、携帯端末機器（１０２）の表示部（４０６）にＭＦＰから応答の無い旨の表示を行い（Ｓ１５１１）、フローチャートを終了する。
【００９３】
同様に、原稿検知フラグのポーリングに対して応答が所定時間内に無かった場合（Ｓ２５０５のＮＯ）、タイムアウトし（Ｓ１５１０）、携帯端末機器（１０２）の表示部（４０６）にＭＦＰから応答の無い旨の表示を行い（Ｓ２５１１）、フローチャートを終了する。
【００９４】
ＭＦＰ（１０１）に原稿がセットされると、携帯端末機器（１０２）の表示部（４０６）に、ＭＦＰ（１０１）がスキャンを開始するためのスキャン開始ボタン（１１０２）が表示される（Ｓ２３１１）。スキャン開始ボタン（１１０２）が押下されると（Ｓ２３１２のＹＥＳ）、ＭＦＰ（１０１）はスキャン指示に従い（Ｓ２４０９）、携帯端末機器（１０２）はＭＦＰ（１０１）のステータスをチェックする処理（Ｓ２３１４）に入る。ＭＦＰ（１０１）によるステップＳ２４１０のスキャン＆ＦＡＸ送信の処理フローは図１８を用いて詳細に説明する。
【００９５】
ＭＦＰ（１０１）は宛先、送信設定、スキャン設定等の送信設定を受信する（Ｓ１８０１）と、それらを記憶する（Ｓ１８０２）。また、表紙データが有った場合（Ｓ１８２２のＹＥＳ）、表紙データを記憶する（Ｓ１８２３）。さらに、ヘッダーデータが有った場合（Ｓ１８２４のＹＥＳ）、ヘッダーデータを記憶する（Ｓ１８２５）。原稿がＡＤＦ部にセットされた場合（Ｓ１８０３のＹＥＳ）、送信設定に従い、ＡＤＦスキャンを開始する（Ｓ１８０４）。スキャン処理を実行し（Ｓ１８０５）、スキャンした画像データを１ページ分記憶する（Ｓ１８０６）。全ての原稿をスキャン完了するまで、原稿をスキャンし、１ページ分の画像データを記憶する処理を繰り返す（Ｓ１８０７のＹＥＳ）。
【００９６】
全ての原稿のスキャンが完了したら（Ｓ１８０７のＮＯ）、表紙設定に応じて表紙データを生成して（Ｓ１８２６）、公衆回線をチェックする（Ｓ１８０８）。その結果、発呼可能であれば（Ｓ１８０９のＹＥＳ）、送信設定で指定された宛先に発呼し（Ｓ１８１０）、ＦＡＸ送信を開始する（Ｓ１８１１）。ＦＡＸ送信が正常終了したら（Ｓ１８１２のＹＥＳ）、送信完了し（Ｓ１８１３）、サブルーチンＳ１３２２を抜ける。ＦＡＸ送信が正常終了しなかったら（Ｓ１８１２のＮＯ）、相手が話し中であるか判断し（Ｓ１８１４）、話し中の場合は（Ｓ１８１４のＹＥＳ）、オートリダイヤル処理（Ｓ１８１５）のサブルーチンへ移行する。
【００９７】
サブルーチンＳ１８１５のオートリダイヤル処理に関しては、図１９を用いてフローの詳細を後述する。話し中では無かった場合は（Ｓ１８１４のＮＯ）、エラー終了し（Ｓ１８１６）、サブルーチンＳ１３２２を抜ける。
【００９８】
次に、ステップＳ１８０３で原稿が圧板部にセットされた場合（Ｓ１８０３のＮＯ）、送信設定に従い、ＢＯＯＫスキャンを開始する（Ｓ１８１７）。スキャン処理を実行し（Ｓ１８１８）、スキャンした画像データを１ページ分記憶する（Ｓ１８１９）。１ページ分の記憶が完了すると、次の原稿の読み込みを指示する表示を行い（Ｓ１８２０）、全ての原稿をスキャン完了するまで、これらの処理を繰り返す（Ｓ１８２１のＹＥＳ）。全ての原稿のスキャンが完了したら（Ｓ１８２１のＮＯ）、ヘッダー設定に応じてヘッダーデータを生成して（Ｓ１８２６）、ＡＤＦ読み込みの際と同様に以降の処理を実行する。
【００９９】
次に、オートリダイヤル処理に関して、図１９を用いてフローの詳細を説明する。オートリダイヤル設定を読み出し（Ｓ１９０１）、以降のステップを実行する。リダイヤル待ちのステータス（Ｓ１９０２）で、リダイヤル待ち時間をセットする（Ｓ１９０３）。待ち時間が経過したら（Ｓ１９０４のＹＥＳ）、リダイヤル回数をカウントする処理を実行し（Ｓ１９０５）、公衆回線をチェックする（Ｓ１９０６）。その結果、発呼可能であれば（Ｓ１９０７のＹＥＳ）、送信設定で指定された宛先に発呼し（Ｓ１９０８）、ＦＡＸ送信を開始する（Ｓ１９０９）。ＦＡＸ送信が正常終了したら（Ｓ１９１０のＹＥＳ）、送信完了し（Ｓ１９１１）、サブルーチンＳ１８１５を抜ける。
【０１００】
ＦＡＸ送信が正常終了しなかったら（Ｓ１９１０のＮＯ）、相手が話し中であるか判断し（Ｓ１９１２）、話し中の場合は（Ｓ１９１２のＹＥＳ）、リダイヤル回数が上限回数に到達したか判断する（Ｓ１９１４）。上限回数に達していない場合（Ｓ１９１４のＹＥＳ）、ステップＳ１９０２のリダイヤル待ちのステータスに戻す。上限回数に達した場合（Ｓ１９１４のＮＯ）、エラー終了し（Ｓ１９１３）、サブルーチンＳ１８１５を抜ける。またステップＳ１９１２で話し中では無かった場合も（Ｓ１９１２のＮＯ）、エラー終了し（Ｓ１９１３）、サブルーチンＳ１８１５を抜ける。
【０１０１】
携帯端末機器（１０２）によるステップＳ１３１３のＭＦＰ（１０１）のステータスをチェックする処理フローは図１６を用いて詳細に説明する。
【０１０２】
ＭＦＰ（１０１）に対し、ステータスチェックを行い（Ｓ１６０１）、応答があった場合（Ｓ１６０２のＹＥＳ）、応答の情報からステータスを取得する（Ｓ１６０３）。次に取得したＭＦＰ（１０１）のステータスを携帯端末機器（１０２）の表示部（４０６）に表示する（Ｓ１６０４）。具体的にはダイヤル中／ＦＡＸ送信中といったステータスを表示する。ＦＡＸ送信が完了したら（Ｓ１６０５のＹＥＳ）、携帯端末機器（１０２）の表示部（４０６）にＦＡＸ送信完了した旨の表示をして（Ｓ１６０６）、サブルーチンＳ１３１３を抜ける。
【０１０３】
一方、ＦＡＸ送信が完了せずに（Ｓ１６０５のＮＯ）、エラー終了した場合（Ｓ１６０８のＹＥＳ）、携帯端末機器（１０２）の表示部（４０６）にＦＡＸ送信がエラー終了旨の表示を行い（Ｓ１６０９）、サブルーチンＳ１３１３を抜ける。ＦＡＸ送信は完了していないが、エラー終了でもない場合（Ｓ１６０８のＮＯ）、再度ステータスのチェック（Ｓ１６０１）に戻る。
【０１０４】
また、ＭＦＰ（１０１）のステータスチェックで、応答が所定時間内に無かった場合（Ｓ１６０２のＮＯ）、タイムアウトする（Ｓ１６０７）。この場合、携帯端末機器（１０２）の表示部（４０６）にＭＦＰから応答の無い旨の表示を行い（Ｓ２５１１）、フローチャートを終了する。
【０１０５】
携帯端末機器（１０２）はステップＳ２３１５で、送信履歴を記憶し、フローチャートを終了する。ＭＦＰ（１０１）も送信履歴を記憶する（Ｓ２４１１）。Ｓ２４１６で切り替える前のユーザがいなければ（Ｓ２４１２のＮＯ）、フローチャートを終了する。
【０１０６】
モバイルＳｃａｎボタン（７０２）を押下すると、モバイルＳｃａｎアプリケーションが起動し、携帯端末機器（１０２）とＭＦＰ（１０１）とが連携してＳｃａｎ動作を行うことができる。モバイルＳｃａｎアプリケーションの詳細の説明は省略する。
【０１０７】
［その他の実施例］
本発明の目的は、上述した実施例で示したフローチャートの手順を実現するプログラムコードを記憶した記憶媒体から、システムあるいは装置のコンピュータ（またはＣＰＵやＭＰＵ）が、そのプログラムコードを読出し実行することによっても達成される。この場合、記憶媒体から読み出されたプログラムコード自体が上述した実施形態の機能を実現することになる。そのため、このプログラムコード及びプログラムコードを記憶した記憶媒体も本発明の一つを構成することになる。
【０１０８】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１０９】
またコンピュータが読み出したプログラムコードを実行することにより、上述した実施形態の機能が実現されるだけでなく、そのプログラムコードの指示に基づきコンピュータ上で稼動しているＯＳ（オペレーティングシステム）などが実際の処理の一部または全部を行い、その処理によって上述した実施形態の機能が実現される場合も含まれる。
【０１１０】
更に、記憶媒体から読出されたプログラムコードが、コンピュータに挿入された機能拡張ボードやコンピュータに接続された機能拡張ユニットに備わるメモリに書き込みまれた後、そのプログラムコードの指示に基づき、その機能拡張ボードや機能拡張ユニットに備わるＣＰＵなどが実際の処理の一部または全部を行い、その処理によって上述した実施形態の機能が実現される。
【符号の説明】
【０１１１】
１０１  ＭＦＰ、１０２  携帯端末機器、１０３  アクセスポイント、
１０４  無線ＬＡＮ、１０５  ネットワーク、１０６  ＮＦＣタグ、
１０７  パーソナルコンピュータ、１０８  公衆回線網、１０９  ＦＡＸ装置
【図１】
2015231175.tif 000003
【図２】
2015231175.tif 000004
【図３】
2015231175.tif 000005
【図４】
2015231175.tif 000006
【図５】
2015231175.tif 000007
【図６】
2015231175.tif 000008
【図７】
2015231175.tif 000009
【図８】
2015231175.tif 000010
【図９】
2015231175.tif 000011
【図１０】
2015231175.tif 000012
【図１１】
2015231175.tif 000013
【図１２】
2015231175.tif 000014
【図１３】
2015231175.tif 000015
【図１４】
2015231175.tif 000016
【図１５】
2015231175.tif 000017
【図１６】
2015231175.tif 000018
【図１７】
2015231175.tif 000019
【図１８】
2015231175.tif 000020
【図１９】
2015231175.tif 000021
【図２０】
2015231175.tif 000022
【図２１】
2015231175.tif 000023
【図２２】
2015231175.tif 000024
【図２３】
2015231175.tif 000025
【図２４】
2015231175.tif 000026
【図２５】
2015231175.tif 000027